(57)【特許請求の範囲】
【請求項１】
浴室の壁面に取り付けられ上面および下面を有する支持材と、
前記支持材に下面を支持され前記壁面および浴槽から水平方向に離間して設けられる天板と、
を備え、
前記支持材の前記上面および前記支持材の前記下面は、前記天板から前記壁面に向かって下方に傾斜しており、
前記支持材の前記上面が前記壁面に当接する位置は、前記天板の前記下面よりも低い位置に存在し、
前記支持材の前記上面は、
第１の面と、
前記第１の面と前記壁面との間に設けられる第２の面と、
を有し、
水平方向に対する前記第２の面の角度は、０°以上であり、前記水平方向に対する前記第１の面の角度よりも小さく、
前記支持材は、前記第１の面と前記第２の面とを有する傾斜面部と、前記傾斜面部と前記天板との間を接続する立面部と、を有し、
前記立面部は、前記支持材が前記壁面に取り付けられた状態において前記天板から前記壁面とは反対方向に下向きに傾斜することを特徴とする浴室用カウンタ。
【請求項２】
前記支持材の前記上面は、前記第１の面と前記第２の面との間に設けられ凹状に湾曲した中央曲面をさらに有することを特徴とする請求項１記載の浴室用カウンタ。
【請求項３】
前記支持材は、
前記壁面に取り付けられ前記天板を支持する支持材本体と、
前記支持材本体の外周を覆う支持材カバーと、
を有することを特徴とする請求項１または２に記載の浴室用カウンタ。
【請求項４】
前記支持材のうちで前記天板と前記壁面との間に存在する部分の横方向の長さは、前記天板の横方向の長さよりも短いことを特徴とする請求項１〜３のいずれか１つに記載の浴室用カウンタ。
【発明の詳細な説明】
【技術分野】
【０００１】
本発明の態様は、一般的に、浴室の壁に取り付けられる浴室用カウンタに関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成した溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。そのため、入隅にこびりついた汚れによって、特許文献１に記載されたカウンターは、浴室の美観を損ねるおそれがある。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅に付着した汚れを落とすことは容易ではなく、浴室の美観を損ねるおそれがあるという点においては、改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、このような課題に鑑みてなされたものであり、浴室の美観を向上させることができる浴室用カウンタを提供することを目的とする。
【課題を解決するための手段】
【０００８】
第１の発明は、浴室の壁面に取り付けられ上面および下面を有する支持材と、前記支持材に下面を支持され前記壁面および浴槽から水平方向に離間して設けられる天板と、を備え、前記支持材の前記上面および前記支持材の前記下面は、前記天板から前記壁面に向かって下方に傾斜しており、前記支持材の前記上面が前記壁面に当接する位置は、前記天板の前記下面よりも低い位置に存在し、前記支持材の前記上面は、第１の面と、前記第１の面と前記壁面との間に設けられる第２の面と、を有し、水平方向に対する前記第２の面の角度は、０°以上であり、前記水平方向に対する前記第１の面の角度よりも小さく、前記支持材は、前記第１の面と前記第２の面とを有する傾斜面部と、前記傾斜面部と前記天板との間を接続する立面部と、を有し、前記立面部は、前記支持材が前記壁面に取り付けられた状態において前記天板から前記壁面とは反対方向に下向きに傾斜することを特徴とする浴室用カウンタである。
【０００９】
この浴室用カウンタによれば、支持材の上面および支持材の下面が、天板の下面から支持材が壁面に向けて下方に傾斜する。そのため、支持材の上面が壁面に当接する位置は、天板の下面の位置よりも低い。  
そのため、浴室用カウンタを使用する使用者の目線では、支持材と壁面とがなす角部において形成された入隅は、天板の死角に入る。したがって、支持材と壁面とがなす角部において形成された入隅に水や汚れが溜まったとしても、使用者はそれらの入隅を視認できないため、落としづらい汚れを使用者にさらすことが抑制される。浴室の美観が良い。
【００１０】
また、支持材の上面および支持材の下面が、天板の下面から壁面に向けて下方に傾斜するようになっている。そのため、使用者の目線から、支持材自体を視認することができない。使用者においては、カウンタが浮いているように認識する。浴室の美観がさらに良い。
【００１１】
さらに、水平方向に対する第２の面の角度は、水平方向に対する第１の面の角度よりも小さい。そのため、支持材の上面を、天板から壁面に向かって下方に傾斜させる場合であっても、壁面と支持材の上面とがなす角部の角度を大きくすることができ、この角部に形成される入隅の清掃性を向上させることができる。
【００１２】
第２の発明は、第１の発明において、前記支持材の前記上面は、前記第１の面と前記第２の面との間に設けられ凹状に湾曲した中央曲面をさらに有することを特徴とする浴室用カウンタである。
【００１３】
この浴室用カウンタによれば、支持材の上面の中央曲面が湾曲しているため、水や汚れが溜まりやすい支持材の上面を清掃する際に、第１の面および第２の面の水や汚れを清掃しやすくでき、清掃時の作業性を向上させることができる。
【００１４】
第３の発明は、第１または２の発明において、前記支持材は、前記壁面に取り付けられ前記天板を支持する支持材本体と、前記支持材本体の外周を覆う支持材カバーと、を有することを特徴とする浴室用カウンタである。
【００１５】
この浴室用カウンタによれば、支持材カバーが支持材本体の周囲を覆うことにより、支持材本体は、比較的複雑な構造を有することができる。比較的複雑な構造としては、例えば、天板を支える耐荷重性を確保するためのリブが設けられた構造などが挙げられる。つまり、支持材本体の周囲部を平面や曲面などの面により形成することができる。これにより、支持材本体の耐荷重性を確保しつつ、支持材を比較的容易に清掃することができる。
【００１６】
第４発明は、第１〜３のいずれか１つの発明において、前記支持材のうちで前記天板と前記壁面との間に存在する部分の横方向の長さは、前記天板の横方向の長さよりも短いことを特徴とする浴室用カウンタである。
【００１７】
この浴室用カウンタによれば、水がかかりやすい支持材の上面の面積を小さく抑えることで、支持材の上面に水が溜まる面積を小さく抑えることができる。これにより、支持材において水垢や石鹸カスなどによる汚れが発生する面積を抑えることができるため、支持材を清掃する手間を低減することができる。
【発明の効果】
【００１８】
本発明の態様によれば、天板の支持材を使用者から見えないようにして浴室の美観を良好にすることが可能な浴室用カウンタを提供することを目的とする。
【図面の簡単な説明】
【００１９】
【図１】本実施形態にかかる浴室用カウンタが設置された浴室を表す模式的斜視図である。
【図２】本実施形態にかかる浴室用カウンタを表す模式的平面図である。
【図３】本実施形態にかかる浴室用カウンタを表す模式的平面図である。
【図４】本実施形態にかかる浴室用カウンタを表す模式的平面図である。
【図５】本実施形態にかかる浴室用カウンタを表す模式的平面図である。
【図６】本実施形態の天板の側端面に付着した汚れを表す模式的平面図である。
【図７】天板の手入れ方法の一例を例示する模式的平面図である。
【図８】本実施形態の変形例にかかる浴室用カウンタを表す模式的平面図である。
【図９】本実施形態の他の変形例にかかる浴室用カウンタを表す模式的平面図である。
【図１０】本実施形態のさらに他の変形例にかかる浴室用カウンタを表す模式的平面図である。
【図１１】本実施形態の具体例にかかる浴室用カウンタを表す模式的分解図である。
【図１２】本具体例にかかる浴室用カウンタを表す模式的平面図である。
【図１３】本具体例にかかる浴室用カウンタを表す模式的断面図である。
【図１４】本発明者が実施した検討を説明する模式的平面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本実施形態にかかる浴室用カウンタが設置された浴室を表す模式的斜視図である。  
図２は、本実施形態にかかる浴室用カウンタを表す模式的平面図である。  
図２は、図１に表した矢印Ａ１の方向にみたときの浴室用カウンタを表す模式的平面図である。
【００２１】
図１および図２に表したように、本実施形態にかかる浴室用カウンタ３００は、天板３１０と、支持材３２０と、を備え、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００２２】
第１の壁面１１０には、水栓４００および鏡５００が取り付けられている。水栓４００は、例えば天板３１０の上に載置された洗面器に水を供給する。本願明細書において、「水」には、冷水のみならず、加温されたお湯が含まれる。
【００２３】
支持材３２０は、第１の壁面１１０に取り付けられている。より具体的には、支持材３２０の一端は、第１の壁面１１０に固定されている。これにより、支持材３２０と第１の壁面１１０との間に入隅３９１が形成されている。
【００２４】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００２５】
支持材３２０の他端は、天板３１０の下面３１７を支持している。
【００２６】
支持材３２０は、上面３２１と、下面３２２と、を有する。上面３２１および下面３２２は、天板３１０の下面３１７から第１の壁面１１０に向けて下方に傾斜している。
【００２７】
本願明細書において、「下方」とは、浴室用カウンタ３００が第１の壁面１１０に取り付けられた状態において、鉛直方向であって天板３１０からみて支持材３２０の側の方向をいう。本願明細書において、「上方」とは、「下方」とは反対の方向をいう。本願明細書において、「前方」とは、浴室用カウンタ３００が第１の壁面１１０に取り付けられた状態において、第１の壁面１１０に垂直な方向であって第１の壁面１１０からみて浴室カウンタ３００の側の方向をいう。本願明細書において、「後方」とは、「前方」とは反対の方向をいう。
【００２８】
支持材３２０の上面３２１は、第１の面３２１ａと、第２の面３２１ｂと、中央曲面３２１ｃと、を有している。第２の面３２１ｂは、第１の面３２１ａと第１の壁面１１０との間に設けられている。中央曲面３２１ｃは、第１の面３２１ａと第２の面３２１ｂとの間に設けられている。中央曲面３２１ｃは、凹状に湾曲している。
【００２９】
図２に表した第１の角度θ１（第１の面の角度）は、水平方向に対する第１の面３２１ａの角度である。図２においては、第２の角度θ２（第２の面の角度、図１０参照）が０°である例、すなわち第２の面３２１ｂが水平である例を表している。図１０に表した第２の角度θ２は、水平方向に対する第２の面３２１ｂの角度である。  
第２の角度θ２は、第１の角度θ１よりも小さい。
【００３０】
前述したように、支持材３２０と第１の壁面１１０との間には、入隅３９１が形成されている。入隅３９１に付着した汚れを掃除しても落としにくく、浴室１０の美観を損ねる場合がある。
【００３１】
これに対して、本実施形態において、支持材３２０の上面３２１および支持材３２０の下面３２２は、前述したように、天板３１０の下面３１７から第１の壁面１１０に向けて下方に傾斜している。これにより、支持材３２０の上面３２１において、第１の壁面１１０に当接する位置は、天板３１０の下面３１７よりも低い。そのため、天板３１０を使用する使用者の目線では、入隅３９１は、天板３１０の死角に入る。  
したがって、入隅３９１に、水や汚れが溜まったとしても、使用者は、入隅３９１を視認することができない。そのため、落としづらい汚れを使用者にさらすことが抑制される。これにより、浴室１０の美観を良くすることができる。
【００３２】
また、前述したように、支持材３２０の上面３２１および支持材３２０の下面３２２が、天板３１０の下面３１７から、第１の壁面１１０に向けて下方に傾斜している。これにより、使用者の目線から支持材３２０自体を視認できない。天板３１０が浮いているように使用者に認識させることができる。これにより、浴室１０の美観を向上させることができる。
【００３３】
支持材の上面が下方に傾斜している場合、支持材の上面が傾斜していない場合と比較して、支持材の上面と壁面とがなす角度は小さい。そのため、例えば、支持材の上面と壁面とで形成される入隅に手が入りづらく、清掃が困難な場合がある。
【００３４】
これに対して、本実施形態において、支持材３２０の上面３２１は、第１の面３２１ａおよび第２の面３２１ｂを有している。第２の角度θ２は、第１の角度θ１よりも小さい。そのため、天板３１０の上面３１６が下方に傾斜していても、第１の壁面１１０と支持材３２０の上面３２２とのなす角度を、比較的大きくすることができる。例えば、第２の角度θ２を０°にすることで、第１の壁面１１０と支持材３２０の上面３２２とのなす角度を約９０°にすることができる。これにより、入隅３９１の清掃性を向上させることができる。
【００３５】
図３は、本実施形態にかかる浴室用カウンタを表す模式的平面図である。  
図４は、本実施形態にかかる浴室用カウンタを表す模式的平面図である。  
図５は、本実施形態にかかる浴室用カウンタを表す模式的平面図である。  
図３は、図１に表した矢印Ａ２の方向にみたときの浴室用カウンタを表す模式的平面図である。図４は、図１に表した矢印Ａ３の方向にみたときの浴室用カウンタを表す模式的平面図である。図５は、図１に表した矢印Ａ４の方向にみたときの浴室用カウンタを表す模式的平面図である。
【００３６】
天板３１０は、第１の側端面３１１と、第２の側端面３１２と、第３の側端面３１３と、第４の側端面３１４と、上面３１６と、下面３１７と、を有し、支持材３２０により支持されている。図３および図４に表したように、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００３７】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３８】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。
【００３９】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６の前方側に下降傾斜させておくことが好ましい。
【００４０】
図３および図４に表したように、支持材３２０のうちで天板３１０と第１の壁面１１０との間に存在する部分の横方向の長さＤ５は、天板３１０の横方向の長さＤ４よりも短い。  
これにより、水がかかりやすい支持材３２０の上面３２１の面積を小さく抑えることで、支持材３２０の上面３２１に水が溜まる面積を小さく抑えることができる。これにより、支持材３２０において水垢や石鹸カスなどによる汚れが発生する面積を抑えることができるため、支持材３２０を清掃する手間を低減することができる。
【００４１】
本願明細書において「横方向」とは、水平方向であって壁面１１０に平行な方向をいう。
【００４２】
図５に表したように、天板３１０は、例えば、ボルト４５１で支持材３２０に取り付けられる。支持材３２０は、例えば、ボルト４５２で第１の壁面１１０に取り付けられる。
【００４３】
図６は、本実施形態の天板の側端面に付着した汚れを表す模式的平面図である。  
図６は、図１に表した矢印Ａ２の方向にみたときの浴室用カウンタを表す模式的平面図である。
【００４４】
天板３１０の上面３１６には、例えば洗面器が載置される。そのため、界面活性剤を含んだ水が天板３１０の上面３１６に流れることがある。天板３１０の上面３１６に流れた水は、天板３１０の略全体の周囲から側面を伝って洗い場１００へ落下する。そのため、図６に表したように、水垢あるいは石鹸カスなどの汚れＤは、天板３１０の側端面に残留しやすい。例えば、汚れＤは、側端面の下端に残留しやすい。
【００４５】
図６は、汚れＤが第３の側端面３１３と第４の側端面３１４との間に残留した例を表している。汚れＤが残留する箇所は、第３の側端面３１３と第４の側端面３１４との間には限定されない。汚れＤは、第１の側端面３１１と、第２の側端面３１２と、第３の側端面３１３と、第４の側端面３１４と、の少なくともいずれかに残留することがある。
【００４６】
次に、天板３１０の手入れ方法について、図面を参照しつつ説明する。  
図７は、天板の手入れ方法の一例を例示する模式的平面図である。
【００４７】
例えば清掃者は、洗剤等を含ませた清掃用具Ｃで天板３１０の側端面を擦り洗いすることによって、天板３１０の側端面の下端に付着した汚れＤを落とすことができる。このとき、第１の側端面３１１と第１の壁面１１０との間の距離Ｄ１、第２の側端面３１２と浴槽２００の側面２１０との間の距離Ｄ２、および第３の側端面３１３と第２の壁面１２０との間の距離Ｄ３のそれぞれは、３０ｍｍ以上である。そのため、図７に表したように、例えば清掃者は、清掃用具Ｃを掴んだ手指Ｆを隙間Ｓ１、Ｓ２、Ｓ３に容易に差し込むことができる。
【００４８】
支持材３２０の一端は、天板３１０の下面３１７のうち第１の側端面３１１、第２の側端面３１２、第３の側端面３１３、および第４の側端面３１４から離れた位置に取り付けられている。そのため、天板３１０の全ての側端面と支持材３２０との間において入隅が形成されることはなく、天板３１０の全ての側端面の下方には、空間が存在する。
【００４９】
これにより、例えば清掃者は、天板３１０の全ての側端面を力を入れて擦り洗いすることができる。また、天板３１０の側端面に付着した汚れは、入隅に付着した汚れよりも容易に擦り落とすことができる。したがって、天板３１０の側端面の下端などに付着した水垢や石鹸カスなどの汚れＤをより簡単に落とすことができる。これにより、天板３１０の側端面にカビが発生することを抑制することができる。
【００５０】
次に、本実施形態の変形例にかかる浴室用カウンタについて、図面を参照しつつ説明する。  
図８は、本実施形態の変形例にかかる浴室用カウンタを表す模式的平面図である。  
図８は、図１に表した矢印Ａ１の方向にみたときの浴室用カウンタを表す模式的平面図に相当する。
【００５１】
本変形例の浴室用カウンタ３００ａは、天板３１０ａと、支持材３２０と、を備える。支持材３２０は、図１〜図５に関して前述した通りである。  
図８に表したように、本変形例の天板３１０ａの第１の側端面３１１は、曲面を有する。本変形例の天板３１０ａの第４の側端面３１４は、曲面を有する。また、第１の側端面３１１および第４の側端面３１４のそれぞれと、天板３１０の上面３１６と、の間には、角部は存在しない。第１の側端面３１１および第４の側端面３１４のそれぞれと、天板３１０の下面３１７と、の間には、角部は存在しない。  
これらは、第２の側端面３１２および第３の側端面３１３についても同様である。
【００５２】
本変形例によれば、天板３１０の側端面が曲面を有することにより、例えば清掃者は、拭き掃除をより一層手軽に行うことができる。また、支持材３２０が第１の壁面１１０に取り付けられた状態において、第２の面３２１ｂは、水平方向と略平行である。これにより、本変形例にかかる浴室用カウンタ３００ａの清掃性を向上させることができる。
【００５３】
図９は、本実施形態の他の変形例にかかる浴室用カウンタを表す模式的平面図である。  図９は、図１に表した矢印Ａ３の方向にみたときの浴室用カウンタを表す模式的平面図に相当する。
【００５４】
本変形例の浴室用カウンタ３００ｂは、天板３１０ｂと、支持材３２０と、補強材３３０と、を備える。図９に表したように、天板３１０ｂの上面３１６と、天板３１０ｂの側端面と、の間にはラウンド部が設けられている。天板３１０ｂの下面３１７と、天板３１０ｂの側端面と、の間にはラウンド部が設けられている。
【００５５】
補強材３３０は、天板３１０ｂと、支持材３２０と、の間に設けられている。補強材３３０は、天板３１０ｂの撓みを抑える。図４に表したように、支持材３２０のうちで天板３１０と第１の壁面１１０との間に存在する部分の横方向の長さＤ５が天板３１０ｂの横方向の長さＤ４よりも短い場合でも、補強材３３０は、天板３１０ｂの撓みを抑えることができる。  
なお、補強材３３０は、支持材３２０と一体化されていてもよい。
【００５６】
本変形例のように、支持材３２０が補強材３３０を介して天板３１０ｂを支持する例は、本実施形態の範囲に含まれる。
【００５７】
補強材３３０は、天板３１０ｂの下面３１７のうち第１の側端面３１１、第２の側端面３１２、第３の側端面３１３、および第４の側端面３１４から離れた位置に取り付けられている。そのため、例えば清掃者は、汚れが付着した天板３１０ｂの側端面を端から端まで洗剤およびスポンジなどの清掃用具Ｃでより簡単に擦り洗いすることができる。また、支持材３２０が第１の壁面１１０に取り付けられた状態において、第２の面３２１ａは、水平方向と略平行である。これにより、本変形例にかかる浴室用カウンタ３００ｂの清掃性を向上させることができる。
【００５８】
図１０は、本実施形態のさらに他の変形例にかかる浴室用カウンタを表す模式的平面図である。  
図１０は、図１に表した矢印Ａ１の方向にみたときの浴室用カウンタを表す模式的平面図に相当する。
【００５９】
本変形例の浴室用カウンタ３００ｃは、天板３１０と、支持材３２０ａと、を備える。図１０に表したように、本変形例の支持材３２０ａの第２の面３２１ｂの第２の角度θ２は、０°よりも大きく、第１の面３２１ａの第１の角度θ１よりも小さい。このように、支持材３２０ａにおいて、第２の面３２１ｂの第２の角度θ２は、第１の面３２１ａの第１の角度θ１よりも小さければ、０°より大きくてもよい。
【００６０】
以上のように、本実施形態において、支持材３２０の上面３２１および支持材３２０の下面３２２は、天板３１０の下面３１７から第１の壁面１１０に向けて下方に傾斜している。そのため、天板３１０を使用する使用者の目線では、入隅３９１は、天板３１０の死角に入る。したがって、入隅３９１に、水や汚れが溜まったとしても、使用者は、入隅３９１を視認することができない。そのため、落としづらい汚れを使用者にさらすことが抑制される。これにより、浴室１０の美観を良くすることができる。
【００６１】
また、使用者の目線から支持材３２０自体を視認できないため、天板３１０が浮いているように使用者に認識させることができる。より浴室１０の美観を向上させることができる。
【００６２】
さらに、本実施形態において、支持材３２０の上面３２１は、第１の面３２１ａおよび第２の面３２１ｂを有している。第２の角度θ２は、第１の角度θ１よりも小さい。そのため、天板３１０の上面３１６が下方に傾斜していても、第１の壁面１１０と支持材３２０の上面３２２とのなす角度を大きくすることができる。これにより、入隅３９１の清掃性を向上させることができる。
【００６３】
支持材３２０の上面３２１は、第１の面３２１ａと第２の面３２１ｂとの間に中央曲面３２１ｃを有している。中央曲面３２１ｃは、凹状に湾曲している。これにより、例えば、清掃者が、水や汚れの溜まりやすい支持材３２０の上面３２１を清掃する際に、第１の面３２１ａと第２の面３２１ｂとの間の水や汚れを清掃しやすい。清掃時の作業性を向上可能である。
【００６４】
次に、本実施形態にかかる浴室用カウンタの具体例について、図面を参照しつつ説明する。  
図１１は、本実施形態の具体例にかかる浴室用カウンタを表す模式的分解図である。  
図１２は、本具体例にかかる浴室用カウンタを表す模式的平面図である。  
図１３は、本具体例にかかる浴室用カウンタを表す模式的断面図である。  
図１２は、図１に表した矢印Ａ１の方向にみたときの本具体例にかかる浴室用カウンタを表す模式的平面図に相当する。図１３は、図３に表した切断面Ａ−Ａにおける模式的断面図に相当する。
【００６５】
図１１〜図１３に表したように、本具体例にかかる浴室用カウンタ３００は、天板３１０と、支持材３２０と、補強材３３０と、を備える。支持材３２０は、支持材本体３６０と、第１のカバー３４０および第２のカバー３５０（支持材カバー）と、を有する。図１３に表したように、支持材本体３６０の一端は、第１の壁面１１０に固定されている。支持材本体３６０の他端は、補強材３３０を介して天板３１０の下面３１７を支持している。
【００６６】
補強材３３０は、支持材本体３６０と、天板３１０と、の間に設けられている。補強材３３０は、脚部３３１を有し、支持材本体３６０の上に載置されている。補強材３３０は、天板３１０を支持するとともに天板３１０を補強する。
【００６７】
支持材本体３６０は、取付面３６１と、上面３６２と、を有する。上面３６２は、支持面３６２ａと、傾斜面３６２ｂと、を有する。支持面３６２ａは、支持材本体３６０が第１の壁面１１０に取り付けられた状態において水平方向と略平行である。傾斜面３６２ｂは、支持面３６２ａと取付面３６１とに接続されている。
【００６８】
支持材本体３６０のうちで天板３１０と第１の壁面１１０との間に存在する部分の横方向の長さＤ７は、天板３１０の横方向の長さＤ６よりも短い。また、第１のカバー３４０および第２のカバー３５０が取り付けられた状態であっても、支持材３２０のうちで天板３１０と第１の壁面１１０との間に存在する部分の横方向の長さは、天板３１０の横方向の長さＤ６よりも短い。これにより、水がかかりやすい支持材３２０の上面３２１の面積を小さく抑えることで、支持材３２０の上面３２１に水が溜まる面積を小さく抑えることができる。これにより、支持材３２０において水垢や石鹸カスなどによる汚れが発生する面積を抑えることができるため、支持材３２０を清掃する手間を低減することができる。
【００６９】
本具体例の第１のカバー３４０は、支持材本体３６０の傾斜面３６２ｂに取り付けられ、支持材本体３６０の傾斜面３６２ｂを覆う。第２のカバー３５０は、支持材本体３６０の下方に設けられ、支持材本体３６０の下面および支持材本体３６０の側面を覆う。つまり、第１のカバー３４０および第２のカバー３５０は、支持材本体３６０の外周を覆う。なお、支持材本体３６０の外周を覆うカバーは、第１のカバー３４０および第２のカバー３５０を有することには限定されず、１つの部材により形成されていてもよい。あるいは、支持材本体３６０の外周を覆うカバーは、３つ以上の部材を有していてもよい。
【００７０】
第１のカバー３４０は、傾斜面部３４１と、立面部３４２と、を有する。立面部３４２は、傾斜面部３４１と接続され、傾斜面部３４１の縁から傾斜面部３４１に対して略垂直方向に延在している。傾斜面部３４１は、支持材本体３６０の傾斜面３６２ｂに略沿う形状を有する。
【００７１】
傾斜面部３４１は、上面３４３（支持材の上面）を有している。上面３４３は、第１の面３４３ａと、第２の面３４３ｂと、中央曲面３４３ｃと、を有している。第１の面３４３ａの一端は、中央曲面３４３ｃを介して、第２の面３４３ｂに接続されている。第１の面３４３ａの他端は、立面部３４２を介して天板３１０の下面３１７に接続されている。第２の面３４３ｂの一端は、第１の壁面１１０に接続されている。第２の面３４３ｂの他端は、中央曲面３４３ｃを介して、第１の面３４３ａに接続されている。  
第１の面３４３ａの一部および第２の面３４３ｂは、上面視において、天板３１０の第１の側端面３１１と第１の壁面１１０との間に配置されるようにしている。これにより、支持材３２０をより視認しづらくできると共に、天板３１０から流れ落ちた水は、第１の面３４３ａを流れ落ちるため、支持材３２０の上面に水が溜まる面積を小さくすることができる。これにより、天板３１０をより浮いているように認識させることができるとともに、支持材３２０の上面の汚れが発生する面積を小さく抑えることができる。さらに、入隅３９１を清掃しやすくできる。  
なお、このような効果は、第１の面３４３ａのような傾斜面および第２の面３４３ｂが、上面視において、天板３１０の第１の側端面３１１と第１の壁面１１０との間に配置されていれば得ることができる。
【００７２】
第２のカバー３５０は、下面３５１（支持材の下面）を有している。支持材本体３６０が第１の壁面１１０に取り付けられた状態において、下面３５１は、天板３１０から第１の壁面１１０へ向かって下方へ傾斜している。
【００７３】
図１２および図１３に表したように、支持材本体３６０が第１の壁面１１０に取り付けられた状態において、第１の面３４３ａは、天板３１０から第１の壁面１１０へ向かって下方へ傾斜している。第１の面３４３ａと、第１の壁面１１０と、の間には、入隅３９１が形成されている。支持材本体３６０が第１の壁面１１０に取り付けられた状態において、第２の面３４３ｂは、水平方向と略平行である。
【００７４】
本具体例によれば、第１のカバー３４０および第２のカバー３５０が支持材本体３６０の周囲を覆うことにより、支持材本体３６０は、比較的複雑な構造を有することができる。比較的複雑な構造としては、例えば、図１０に表したように、天板３１０を支える耐荷重性を確保するためのリブ３６３が設けられた構造などが挙げられる。つまり、支持材本体３６０の周囲を第１のカバー３４０および第２のカバー３５０で覆うことにより、支持材３２０の周囲を平面や曲面などの面により形成することができる。これにより、支持材本体３６０の耐荷重性を確保しつつ、支持材３２０を比較的容易に清掃することができる。また、前述したように、第１の面３４３ａは、天板３１０から第１の壁面１１０へ向かって下方へ傾斜している。第２の面３４３ｂは、水平方向と略平行である。下面３５１は、天板３１０から第１の壁面１１０へ向かって下方へ傾斜している。そのため、図１〜図５に関して前述した効果と同様の効果が得られる。
【００７５】
次に、本発明者が実施した検討について、図面を参照しつつ説明する。  
図１４は、本発明者が実施した検討を説明する模式的平面図である。
【００７６】
本発明者は、天板３１０の死角について検討を行った。より具体的には、本発明者は、使用者５６０が支持材３２０を視認できない角度および高さについて検討を行った。
【００７７】
まず、本発明者が得た知見によれば、一般的な風呂いすの高さは、主として２５０ｍｍ以上、３５０ｍｍ以下である。そのため、本検討では、風呂いす５５０の高さＤ２１の最大値を３５０ｍｍとし、風呂いす５５０の高さＤ２１の最小値を２５０ｍｍとした。
【００７８】
「日本人の人体寸法データブック２００４−２００６」（社団法人  人間生活工学研究センター）に記載された人体計測データによれば、２０歳以上８０歳以下の男性の座面から目線の高さ（「座位姿勢における水平な座面から外眼角点までの鉛直距離」）の９５パーセンタイル値は、８４８ｍｍである。また、２０歳以上８０歳以下の女性の座面から目線の高さの５パーセンタイル値は、６１７ｍｍである。そのため、本検討では、座面から目線の高さＤ２２の最大値を８４８ｍｍとし、座面から目線の高さＤ２２の最小値を６１７ｍｍとした。
【００７９】
これにより、洗い場１００から使用者５６０の目線の高さＤ２９の最大値は、１１９８ｍｍである。洗い場１００から使用者５６０の目線の高さＤ２９の最小値は、８６７ｍｍである。
【００８０】
前述した目線の高さＤ２９の範囲において、浴室用カウンタ３００の前の風呂いす５５０に座った使用者５６０の目の位置と、第１の壁面１１０と、の間の距離Ｄ２３を６５０ｍｍとした。
【００８１】
天板３１０の第１の側端面３１１と、第１の壁面１１０と、の間の距離Ｄ２４を４０ｍｍとした。  
洗い場１００と、浴室用カウンタ３００の天板３１０の上面３１６と、の間の距離Ｄ３１を３４５ｍｍとした。
【００８２】
このような条件において、本発明者が実施した検討の結果は、次の通りである。すなわち、使用者５６０の目と支持材３２０の下端とを結ぶ仮想直線と、水平面と、の間のなす角度（θ１）が５７．５８度以下であれば、男女問わず成人の使用者のうち、大部分の使用者が支持材の下端を視認できなくなる。図１４における角度Ｂ１４は、上記角度（θ１）が５７．５８度の状態を表している。
【００８３】
一方、使用者５６０の目と支持材３２０の上端とを結ぶ仮想直線と、水平面と、の間のなす角度（θ２）が５４．５４度以上であれば、男女問わず成人の使用者のうち、大部分の使用者が支持材の上端を視認できなくなる。図１４における角度Ｂ１３は、上記角度（θ２）が５４．５４度の状態を表している。
【００８４】
すなわち、支持材３２０の上端が、図１４における角度θ２が５４．５４度である場合に対応する仮想直線（破線Ｘ）よりも下方に位置し、支持材３２０の下端が、図１４における角度θ１が５７．５８度である場合に対応する仮想直線（破線Ｙ）よりも上方に位置するように支持材３２０を設ければ、成人の使用者のうち、大部分の使用者が支持材３２０を視認できなくなり、天板３１０を浮いているように見せることができる。このとき、使用者５６０が支持材３２０を視認できない高さであって、第１の壁面１１０の側の上端の高さＤ２６は、２８５ｍｍ以上、３０８ｍｍ以下である。
【００８５】
なお、図１４の支持材３２０においては、支持材３２０の上面３２１は、水平面に対し、１８．７度傾斜した斜面を有しており、支持材３２０の下面３２２は、３９．０度の斜面を有するように構成している。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室用カウンタ３００、３００ａ、３００ｂ、３００ｃおよび支持材３２０などが備える各要素の形状、寸法、材質、配置などや支持材３２０、支持材本体３６０、第１のカバー３４０、および第２のカバー３５０の設置形態などは、例示したものに限定されるわけではなく適宜変更することができる。例えば、支持材３２０の上面３２１および支持材３２０の下面３２２は、全領域において傾斜していなくともよく、一部の領域において傾斜していてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
１０ 浴室、  １００ 洗い場、  １１０ 第１の壁面、  １２０ 第２の壁面、  ２００ 浴槽、  ２１０ 側面、  ３００、  ３００ａ、  ３００ｂ、  ３００ｃ 浴室用カウンタ、  ３１０、  ３１０ａ、  ３１０ｂ 天板、  ３１１ 第１の側端面、  ３１２ 第２の側端面、  ３１３ 第３の側端面、  ３１４ 第４の側端面、  ３１６ 上面、  ３１７ 下面、  ３２０、  ３２０ａ 支持材、  ３２１ 上面、  ３２１ａ 第１の面、  ３２１ｂ 第２の面、  ３２１ｃ 中央曲面、  ３２２ 下面、  ３３０ 補強材、  ３３１ 脚部、  ３４０ 第１のカバー、  ３４１ 傾斜面部、  ３４２ 立面部、  ３４３ 上面、  ３４３ａ 第１の面、  ３４３ｂ 第２の面、  ３４３ｃ 中央曲面、  ３５０ 第２のカバー、  ３５１ 下面、  ３６０ 支持材本体、  ３６１ 取付面、  ３６２ 上面、  ３６２ａ 支持面、  ３６２ｂ 傾斜面、  ３６３ リブ、  ３９１ 入隅、  ４００ 水栓、  ４５１、４５２ ボルト、  ５００ 鏡、  ５５０ 風呂いす、  ５６０ 使用者
【図１】
0006547939.tif 000002
【図２】
0006547939.tif 000003
【図３】
0006547939.tif 000004
【図４】
0006547939.tif 000005
【図５】
0006547939.tif 000006
【図６】
0006547939.tif 000007
【図７】
0006547939.tif 000008
【図８】
0006547939.tif 000009
【図９】
0006547939.tif 000010
【図１０】
0006547939.tif 000011
【図１１】
0006547939.tif 000012
【図１２】
0006547939.tif 000013
【図１３】
0006547939.tif 000014
【図１４】
0006547939.tif 000015